(57)【要約】【課題】エンジンルーム内のレイアウトに左右されずに電流センサを取り付けすることが可能な電流センサの取り付け構造を提供する。【解決手段】バッテリ３の負極端子５に接続されるバッテリ用アースケーブル６に電流センサ１１を取り付ける。具体的には、バッテリ用アースケーブル６の下流側であってアース部７の近傍となる位置に電流センサ１１を取り付ける。すなわち、電流センサ１１をアース端子１０に対して取り付ける。その他、アース端子１０に近い位置となるケーブル本体８に対して電流センサを取り付けてもよいものとする。【選択図】    図２
2004219303.tif 000002
【特許請求の範囲】
【請求項１】
バッテリの負極端子に接続されるバッテリ用アースケーブルの下流側に電流センサを配置した
ことを特徴とする電流センサの取り付け構造。
【請求項２】
バッテリの負極端子に接続されるバッテリ用アースケーブルの下流側であって該バッテリ用アースケーブルが接続されるアース部近傍に電流センサを配置した
ことを特徴とする電流センサの取り付け構造。
【請求項３】
請求項２に記載の電流センサの取り付け構造において、
前記アース部に接続される前記バッテリ用アースケーブルのアース端子に対して前記電流センサを配置した
ことを特徴とする電流センサの取り付け構造。
【請求項４】
請求項２に記載の電流センサの取り付け構造において、
前記アース部に接続される前記バッテリ用アースケーブルのアース端子近傍の前記バッテリ用アースケーブルに対して前記電流センサを配置した
ことを特徴とする電流センサの取り付け構造。
【請求項５】
請求項２ないし請求項４いずれか記載の電流センサの取り付け構造において、
前記電流センサを、ブラケットを介して前記アース部若しくは該アース部近傍の剛体に固定した
ことを特徴とする電流センサの取り付け構造。
【請求項６】
請求項５に記載の電流センサの取り付け構造において、
前記電流センサ又は前記ブラケットのいずれか一方に係止突起を設け、いずれか他方には前記係止突起を引っ掛ける突起係止部を設けた
ことを特徴とする電流センサの取り付け構造。
【請求項７】
請求項１ないし請求項６いずれか記載の電流センサの取り付け構造において、
前記電流センサの検出部分を、前記バッテリ用アースケーブルの前記下流側に対して非接触状態に配置した
ことを特徴とする電流センサの取り付け構造。
【発明の詳細な説明】
【０００１  】
【発明の属する技術分野】
本発明は、車両に搭載されるバッテリの残存容量を監視するための電流センサの取り付け構造に関する。
【０００２  】
【従来の技術】
近年、電装品の種類及び数が増大しており、バッテリの残存容量を常に監視する必要性が生じている。そのため、車両には電流センサが取り付けられている。電流センサは、車両に搭載されたバッテリの近傍や、バッテリポストに接続されるバッテリターミナルに対して取り付けられている（例えば特許文献１、２、３参照）。
【０００３  】
【特許文献１】
特開２００１−２７２４２２号公報
【特許文献２】
特開２００２−１４１０５０号公報
【特許文献３】
特開２００２−１４１０５４号公報
【０００４  】
【発明が解決しようとする課題】
ところで、上記従来技術にあっては、電流センサがバッテリの近傍やバッテリターミナルに対して取り付けられていることから、次のような問題点を有している。すなわち、近年のエンジンルーム内は過密化した状態にあり、バッテリ周辺に十分なスペースがない場合には電流センサの取り付けをすることができないという問題点を有している。
【０００５  】
また、バッテリ周辺に若干のスペースがあったとしても電流センサの取り付け作業が容易でないことから、作業性が悪いという問題点を有している。
【０００６  】
さらに、電流センサがバッテリのような剛体に対して固定されるような構造を有してないことから、電流センサの予想外の振れによって感度に影響を来してしまい、その結果、電流センサの検出に対して十分な信頼性が得られないという問題点を有している。
【０００７  】
本発明は、上述した事情に鑑みてなされるもので、エンジンルーム内のレイアウトに左右されずに電流センサを取り付けすることが可能な電流センサの取り付け構造を提供することを課題とする。また、電流センサの検出に係る信頼性を高めることが可能な電流センサの取り付け構造を提供することを課題とする。
【０００８  】
【課題を解決するための手段】
上記課題を解決するためなされた請求項１記載の本発明の電流センサの取り付け構造は、バッテリの負極端子に接続されるバッテリ用アースケーブルの下流側に電流センサを配置したことを特徴としている。
【０００９  】
上記課題を解決するためなされた請求項２記載の本発明の電流センサの取り付け構造は、バッテリの負極端子に接続されるバッテリ用アースケーブルの下流側であって該バッテリ用アースケーブルが接続されるアース部近傍に電流センサを配置したことを特徴としている。
【００１０  】
請求項３記載の本発明の電流センサの取り付け構造は、請求項２に記載の電流センサの取り付け構造において、前記アース部に接続される前記バッテリ用アースケーブルのアース端子に対して前記電流センサを配置したことを特徴としている。
【００１１  】
請求項４記載の本発明の電流センサの取り付け構造は、請求項２に記載の電流センサの取り付け構造において、前記アース部に接続される前記バッテリ用アースケーブルのアース端子近傍の前記バッテリ用アースケーブルに対して前記電流センサを配置したことを特徴としている。
【００１２  】
請求項５記載の本発明の電流センサの取り付け構造は、請求項２ないし請求項４いずれか記載の電流センサの取り付け構造において、前記電流センサを、ブラケットを介して前記アース部若しくは該アース部近傍の剛体に固定したことを特徴としている。
【００１３  】
請求項６記載の本発明の電流センサの取り付け構造は、請求項５に記載の電流センサの取り付け構造において、前記電流センサ又は前記ブラケットのいずれか一方に係止突起を設け、いずれか他方には前記係止突起を引っ掛ける突起係止部を設けたことを特徴としている。
【００１４  】
請求項７記載の本発明の電流センサの取り付け構造は、請求項１ないし請求項６いずれか記載の電流センサの取り付け構造において、前記電流センサの検出部分を、前記バッテリ用アースケーブルの前記下流側に対して非接触状態に配置したことを特徴としている。
【００１５  】
請求項１に記載された本発明によれば、電流センサの配置がバッテリ用アースケーブルの下流側となるように、その電流センサが取り付けられる。バッテリの周辺に十分なスペースがない場合に特に有効な取り付け構造になる。
【００１６  】
請求項２に記載された本発明によれば、電流センサの配置がバッテリ用アースケーブルの下流側となるように、その電流センサが取り付けられる。具体的には、バッテリ用アースケーブルが接続されるアース部近傍に配置されるように電流センサが取り付けられる。アース部は、エンジンルーム内の各所に存在することから、電流センサの取り付けに必要となるスペースがある部分までバッテリ用アースケーブルを引き出してそのバッテリ用アースケーブルを接続し、そして、バッテリ用アースケーブルが接続されるアース部の近傍に電流センサを取り付ければ、バッテリの残存容量の監視が行えるようになる。アース部の近傍は、バッテリの周辺よりも電流センサに対するスペースが十分に存在することから、そのスペースを利用することによって空きスペースの有効活用を推進することも可能になる。
【００１７  】
請求項３に記載された本発明によれば、電流センサの配置がバッテリ用アースケーブルのアース端子に対するように、その電流センサが取り付けられる。言い換えれば、電流センサの電流検出対象がアース端子になる。
【００１８  】
請求項４に記載された本発明によれば、電流センサの配置がアース端子近傍のバッテリ用アースケーブルに対するように、その電流センサが取り付けられる。言い換えれば、電流センサの電流検出対象がアース端子近傍のバッテリ用アースケーブルになる。
【００１９  】
請求項５に記載された本発明によれば、電流センサがアース部若しくはそのアース部近傍の剛体に固定される。固定に関してはブラケットが用いられる。電流センサが固定されることから、電流センサの感度に影響を来すことはなく、電流センサの検出に対して十分な信頼性が得られる。尚、この請求項ではブラケットが一体又は別体であることを問わないものとする。
【００２０  】
請求項６に記載された本発明によれば、電流センサとブラケットは別体であり、これらは係止突起及び突起係止部の引っ掛かり合いによって係止される。電流センサのアース部若しくはそのアース部近傍の剛体に対する固定において、電流センサとブラケットが別体である場合の方が作業し易いこともあり、このような場合に有効な構造になる。
【００２１  】
請求項７に記載された本発明によれば、電流センサの検出部分がバッテリ用アースケーブルの下流側に対して非接触状態に配置される。検出部分のこのような配置により、各種サイズ及び各種のアース端子形状のバッテリ用アースケーブルに対して電流センサを適用することが可能になる。従って、電流センサの取り付けのためにバッテリ用アースケーブルを新設する必要がなく、汎用性のある取り付け構造を提供することが可能になる。
【００２２  】
【発明の実施の形態】
以下、図面を参照して本発明の実施の形態を説明する。
図１は本発明の電流センサの取り付け構造の一実施の形態を示すエンジンルームの斜視図である。また、図２は図１の要部拡大斜視図である。尚、図面は要部を分かり易くするために簡略化してある。
【００２３  】
図１及び図２において、車両のエンジンルーム１の略中央には、エンジン２が配置されている。また、エンジン２の、図面に向かって右側には、既知のバッテリ３が配置されている。バッテリ３の正極端子４には、図示しないエンジンハーネスが接続されている。バッテリ３は、そのエンジンハーネスを介してエンジン２の周辺に配置される図示しないスタータ、オルタネータと電気的に接続されている。また、Ｆ／Ｌブロックにも電気的に接続されている。本明細書において、バッテリ３の正極端子４から流れて負極端子５に戻ってくるまでの電気回路は従来同様であるものとし、その詳細な説明は省略するものとする。
【００２４  】
バッテリ３の負極端子５には、バッテリ用アースケーブル６の一端が接続されている。バッテリ用アースケーブル６は、従来同様のケーブルであり簡単に説明すると、アース部７に対して必要な長さを有するケーブル本体８と、負極端子５に接続されるバッテリ端子９と、アース部７に接続されるアース端子１０とを有して構成されている。アース部７は、ボディアースされる部分（例えば図中の斜線部分）であって、導電性を有する部材で形成されている。
【００２５  】
尚、アース部７は、図中に示される位置に限定されるものではないものとする。後述する電流センサ１１に対してのスペースを十分に確保することができれば他の位置でもよいものとする。ボディアースされる部分の他には、エンジンアースされる部分等が挙げられるものとする（インテークマニホールドやスロットルボディなどでもよい）。
【００２６  】
バッテリ用アースケーブル６には、電流センサ１１が取り付けられている。具体的には、バッテリ用アースケーブル６の下流側であってアース部７の近傍となる位置に電流センサ１１が取り付けられている。その電流センサ１１は、本形態において、アース部７に例えばネジ止めされるようなアース端子１０に取り付けられている。電流センサ１１は、バッテリ３の残存容量を監視するために上記位置に取り付けられている。
【００２７  】
電流センサ１１を従来のようなバッテリ３の近傍や上記エンジンハーネスでなく、バッテリ用アースケーブル６の下流側、特に好ましくはアース部７の近傍となる位置に取り付けるようにしたのは、バッテリ３の周辺よりもアース部７の近傍の方が電流センサ１１に対するスペースを確保し易いからである。また、取り付けに係る作業も多分にし易くなるからである。尚、電流センサ１１の取り付け位置が従来と異なる位置になっても、すなわち、バッテリ用アースケーブル６やその下流側に取り付けられるようになっても、バッテリ３の残存容量の監視に支障がでるものでないのは言うまでもない。
【００２８  】
電流センサ１１は、例えば次のように構成されている。すなわち、電流センサ１１は図示しないコア及びホール素子を有しており、コアにバッテリ用アースケーブル６に流れる電流の強弱に応じた磁束が発生すると、その磁束がホール素子によって検知されその結果検出が行えるように構成されている。このような電流センサ１１には、貫通孔が形成されている。その貫通孔は、電流センサ１１の検出部分であってアース端子１０の略バスバー状の部分を挿通することが可能な形状に貫通形成されている。本形態においては、電流センサ１１がアース端子１０に対して圧入されるように形成されている。アース端子１０に圧入された電流センサ１１は、圧入による保持力によって固定されている。引用符号１２は電流センサ１１のコネクタ部を示している。また、引用符号１３はワイヤハーネスを示している。
【００２９  】
上記構成において、電流センサ１１は、バッテリ用アースケーブル６のアース端子１０に圧入されて取り付けられる。アース端子１０は、アース部７に固定される。一方、バッテリ用アースケーブル６のバッテリ端子９は、バッテリ３の負極端子５に接続される。電流センサ１１には、ワイヤハーネス１３がコネクタ接続される。
【００３０  】
以上、図１及び図２を参照しながら説明してきたように、電流センサ１１の配置がバッテリ用アースケーブル６の下流側となるように、その電流センサ１１が取り付けられている。バッテリ３の周辺に十分なスペースがない場合には、特に有効な取り付け構造になっている。
【００３１  】
続いて、本発明による電流センサの取り付け構造の他の一実施の形態を説明する。図３は他の一実施の形態を示すエンジンルームの斜視図である。また、図４は図３の要部拡大斜視図である。尚、図面は要部を分かり易くするために簡略化してある。上述の形態と基本的に同じ部分に関しては同一の符号を付してその詳細な説明を省略する。
【００３２  】
図３及び図４において、バッテリ３の負極端子５に接続されるバッテリ用アースケーブル６の下流側には、電流センサ１１′が取り付けられている。より具体的には、アース部７の近傍であってアース端子１０に近い位置のケーブル本体８に対して電流センサ１１′が取り付けられている。電流センサ１１′には、ケーブル本体８の挿通が可能な貫通孔１４が形成されている。その貫通孔１４は、電流センサ１１′の検出部分であって各種サイズのケーブル本体及び各種形状のアース端子を挿通させることができるように貫通形成されている。電流センサ１１′は、上記検出部分がケーブル本体８と非接触状態に配置されている。
【００３３  】
尚、貫通孔１４を大きく開口させることにより、各種サイズのケーブル本体及び各種形状のアース端子を挿通させることができるので、汎用性のある電流センサの取り付け構造を提供することが可能になる。
【００３４  】
電流センサ１１′は、上述の如く、アース端子１０に近い位置のケーブル本体８に対して取り付けられている。本形態においては、ケーブル本体８が電流センサ１１′の電流検出対象になっている（上述の電流センサ１１はアース端子１０が電流検出対象）。このような電流センサ１１′は、ケーブル本体８と非接触状態に配置されていることから、ブラケット１５を介してアース部７に固定されている。
【００３５  】
ブラケット１５は、電流センサ１１′に対して別体となる板状の部材であって、その形状は例えば略Ｌ字状に形成されている。ブラケット１５の一端には、電流センサ１１′に設けられた係止突起１６を引っ掛けるための突起係止部１７が形成されている。突起係止部１７は、ブラケット１５の表裏面を貫通するように形成されている。尚、引用符号１８はブラケット１５の上記一端を案内するためガイド部を示している。ガイド部１８は、係止突起１６の近傍に形成されている。
【００３６  】
ブラケット１５の上記一端は、ガイド部１８に案内された後、上記一端が係止突起１６を乗り越えると、係止突起１６及び突起係止部１７が引っ掛かり合うようになっている（係止突起１６及び突起係止部１７の配置を逆にしてもよいものとする。係止方法は一例であるものとする）。これにより、電流センサ１１′がブラケット１５に係止される。ブラケット１５の他端は、アース部７に例えばネジ止めにより固定されるようになっている。
【００３７  】
尚、ブラケット１５は、アース部７に固定される他に、アース部７の近傍に設けられる剛体（不図示）に固定されるものであってもよいものとする。また、ブラケット１５は、一つのみならず一対であってもよいものとする。さらに、ブラケット１５は、電流センサ１１′に対して別体でなく一体であってもよいものとする。
【００３８  】
ブラケット１５を用いて電流センサ１１′を剛体（ここではアース部７）に固定すると、従来から懸念されていた電流センサの予想外の振れがおさえられる。電流センサ１１′の感度に影響を来すようなことはなく、電流センサ１１′の検出に対して十分な信頼性が得られる。
【００３９  】
上記構成において、電流センサ１１′は、その貫通孔１４にバッテリ用アースケーブル６の下流側を挿通した状態に取り付けられる。具体的には、アース部７の近傍のケーブル本体８に対して取り付けられる。電流センサ１１′は、ブラケット１５を介してアース部７に固定される。仮に、バッテリ用アースケーブル６が振れたとしても、その振れに合わせて電流センサ１１′が振れることはない。バッテリ用アースケーブル６のアース端子１０は、アース部７に固定される。一方、バッテリ端子９は、バッテリ３の負極端子５に接続される。電流センサ１１′には、ワイヤハーネス１３がコネクタ接続される。
【００４０  】
以上、図３及び図４を参照しながら説明してきたように、電流センサ１１′の配置がバッテリ用アースケーブル６の下流側となるように、その電流センサ１１′が取り付けられている。バッテリ３の周辺に十分なスペースがない場合には、特に有効な取り付け構造になっている。
【００４１  】
その他、本発明は本発明の主旨を変えない範囲で種々変更実施可能なことは勿論である。すなわち、電流センサ１１′をケーブル本体８に対して取り付けるのではなく、アース端子１０に対して取り付けるようにしてもよいものとする。また、電流センサの感度に影響を来さないようであれば、電流センサに鍔部を形成して、その鍔部とケーブル本体８とをテープ巻きすることにより、電流センサの固定を行ってもよいものとする。
【００４２  】
【発明の効果】
以上説明したように、請求項１に記載された本発明によれば、バッテリの周辺に十分なスペースがない場合に特に有効な電流センサの取り付け構造を提供することができるという効果を奏する。
【００４３  】
請求項２に記載された本発明によれば、エンジンルーム内のレイアウトに左右されずに電流センサを取り付けすることが可能な電流センサの取り付け構造を提供することができるという効果を奏する。
【００４４  】
請求項３、請求項４に記載された本発明によれば、アース端子やアース端子近傍のバッテリ用アースケーブルを電流センサの電流検出対象にすることができるという効果を奏する。
【００４５  】
請求項５に記載された本発明によれば、電流センサを固定することにより、その電流センサの検出に対する信頼性を向上させることができるという効果を奏する。
【００４６  】
請求項６に記載された本発明によれば、電流センサとブラケットとを別体にし、係止突起と突起係止部の引っ掛かり合いによって係止することにより、電流センサの取り付けに係る作業性を向上させることができるという効果を奏する。
【００４７  】
請求項７に記載された本発明によれば、電流センサの検出部分をバッテリ用アースケーブルの下流側に対して非接触状態に配置することにより、既存の各種バッテリ用アースケーブルを使用することができる。従って、汎用性のある電流センサの取り付け構造を提供することができるという効果を奏する。
【図面の簡単な説明】
【図１】本発明による電流センサの取り付け構造の一実施の形態を示すエンジンルームの斜視図である。
【図２】図１の要部拡大斜視図である。
【図３】本発明による電流センサの取り付け構造の他の一実施の形態を示すエンジンルームの斜視図である。
【図４】図３の要部拡大斜視図である。
【符号の説明】
１  エンジンルーム
２  エンジン
３  バッテリ
４  正極端子
５  負極端子
６  バッテリ用アースケーブル
７  アース部
８  ケーブル本体
９  バッテリ端子
１０  アース端子
１１、１１′  電流センサ
１２  コネクタ部
１３  ワイヤハーネス
１４  貫通孔
１５  ブラケット
１６  係止突起
１７  突起係止部
１８  ガイド部
【図１】
2004219303.tif 000003
【図２】
2004219303.tif 000004
【図３】
2004219303.tif 000005
【図４】
2004219303.tif 000006